(57)【要約】【課題】放し飼い展示を行う展示空間への販売用ペットの開放、及び放し飼い展示を行っている展示空間からの個別展示空間への販売用ペットの収容が容易なペット展示販売ブースを提供することを目的とする。【解決手段】本発明に係るペット展示販売ブースによれば、大展示空間Ｓａ内に販売用ペットＰを個別もしくは数匹単位で収容する小展示空間Ｓｂを形成可能とすることで、放し飼い展示を行う大展示空間Ｓａもしくは放飼い展示空間Ｓｃへの販売用ペットＰの開放、及び大展示空間Ｓａもしくは放飼い展示空間Ｓｃからの小展示空間Ｓｂへの販売用ペットＰの収容を短時間かつ容易に行うことができる。よって、小人数でも大展示空間Ｓａにおける販売用ペットＰの放し飼い展示を行うことができる。【選択図】図１
2009082078.tif 000002
【特許請求の範囲】
【請求項１】
販売用ペットが自力で乗り越えることが不可能な高さを有するとともに顧客側に位置する少なくとも一つの面が透明な領域を備えた壁部と、複数の販売用ペットが十分に歩きまわることが可能な面積を有する床部と、により形成された大展示空間を有するペット展示販売ブースにおいて、
前記大展示空間内に、
販売用ペットが自力で乗り越えることが不可能な高さを有するとともに前記ペット展示販売ブースに着脱可能な仕切板と前記壁部とにより形成される小展示空間を形成可能としたことを特徴とするペット展示販売ブース。
【請求項２】
販売用ペットが自力で乗り越えることが不可能な高さを有するとともに顧客側に位置する少なくとも一つの面が透明な領域を備えた壁部と、複数の販売用ペットが十分に歩きまわることが可能な面積を有する床部と、により形成された大展示空間を有するペット展示販売ブースにおいて、
前記床部は、顧客側に位置する第１床部と、第１床部よりも高い位置に形成された第２床部と、からなり、
第１床部上に小展示空間を形成するとともに、
第２床部上に放飼い展示空間を形成することを特徴とするペット展示販売ブース。
【請求項３】
顧客側に位置するとともに透明な領域を備えた展示壁部と、
少なくとも当該展示壁部側の面が透明でかつ移動可能な個別展示ケースと、を有し、
複数の前記個別展示ケースを前記展示壁部に近接配置することで形成される個別展示ブースを大展示空間の外に備えたことを特徴とする請求項１または請求項２記載のペット展示販売ブース。
【請求項４】
販売用ペットが自力で乗り越えることが不可能な高さを有するとともに顧客側に位置する少なくとも一つの面が透明な領域を備えた壁部と、複数の販売用ペットが十分に歩きまわることが可能な面積を有する床部と、により形成された大展示空間と、
顧客側に位置するとともに透明な領域を備えた展示壁部を有する個別展示ブースと、を備えたペット展示販売ブースにおいて、
前記個別展示ブースは、少なくとも前記展示壁部側の面が透明でかつ移動可能な複数の個別展示ケースが前記展示壁部に近接配置することで形成され、
さらに、前記個別展示ケースを前記大展示空間内に収容することで小展示空間を形成することを特徴とするペット展示販売ブース。
【請求項５】
大展示空間に、
透明かつ販売用ペットが自力で乗り越えることが不可能な高さを備えた壁部を有するとともに上方が開口した展示空間を、大展示空間を構成する床部よりも高い位置に備えたことを特徴とする請求項１乃至請求項４のいずれかに記載のペット展示販売ブース。
【請求項６】
ペット用ホテル施設、ペット用トリミング施設、セルフウォシュ施設のうち１つ以上を備えたことを特徴とする請求項１乃至請求項５のいずれかに記載のペット展示販売ブース。
【請求項７】
請求項３又は請求項４に記載のペット展示販売ブースに用い、
透明かつ販売用ペットが自力で乗り越えることが不可能な高さを備え更に少なくとも一つの面が着脱可能なペット出入口となる壁部を有する第１の個別展示ケースと、
床面積が第１の個別展示ケースと同等もしくはそれよりも小さく、透明かつ販売用ペットが自力で乗り越えることが不可能な高さを備え更に少なくとも一つの面が着脱可能なペット出入口となる壁部を有する第２の個別展示ケースと、
第１の個別展示ケースを載置可能な可動台座と
当該可動台座の上方に位置し第２の個別展示ケースを載置可能な上棚と、
当該上棚を支持する支持体と、
を有することを特徴とするペット展示用ディスプレイ。
【発明の詳細な説明】
【技術分野】
【０００１】
本発明は、ペットの販売を行うペットショップ等で使用するペット展示販売ブース及びペット展示用ディスプレイに関するものである。
【背景技術】
【０００２】
ペットショップ等で犬や猫などのペットを販売する場合、販売するペットを壁面が透明な比較的小型の展示ブースに個別に収容して展示し、顧客がペットの様子を観察できるようにしながら販売を行うことが一般的である。しかしながら、この方法では、販売用ペットが狭い展示ブース内に長時間収容されることとなり、そのストレスから健康を損ねる可能性がある。また、狭い展示ブース内では、販売用ペットの行動が制限され、顧客にペット固有の性格や協調性などを十分に把握してもらうことが難しい。
【０００３】
この点、下記[特許文献１]に開示された発明では、ペット販売用ブースに比較的大きな放し飼い空間（大展示空間）を設けている。そして、その大展示空間に複数の販売用ペットを放し飼い展示することで、販売用ペットに対するストレスの軽減を図るとともに、顧客は大展示空間における販売用ペットの行動を通して個々の販売用ペットの性格等を把握することができる。
【０００４】
【特許文献１】特開２００４−１８７６９３号公報
【発明の開示】
【発明が解決しようとする課題】
【０００５】
しかしながら、如何に長時間ペットと接しているペットショップ等の店員といえども放し飼い状態の販売用ペットの行動を完全に予測することは不可能である。そして、販売用ペットが販売用ペット同士の過度のじゃれ合いや喧嘩等により負傷した場合、その商品価値は著しく低下し店側は多大な損害を被ることとなる。従って、大展示空間において複数の販売用ペットを放し飼い展示する際には、店員は放し飼い展示中の販売用ペットの行動に常に注意を払い、販売用ペットの負傷を未然に防ぐ必要がある。また、人員の不足や顧客対応などにより、店員が放し飼い展示中の販売用ペットに十分な監視や迅速な対応が行えない場合には、大展示空間の販売用ペットをケージや個別の展示ブース等に収容しておく必要がある。しかし、広い床面積を有する大展示空間内で複数の販売用ペットを捕獲して個別の展示ブース等にまで移動しそれを収容することは時間を要することに加え、再度販売用ペットを大展示空間に展示する場合には、個別の展示ブース等の販売用ペットを捕獲して大展示空間に放す必要があり、極めて効率が悪い。更に、このような移動が頻繁に行われる場合、販売用ペットに却ってストレスが生じ好ましいものではない。
【０００６】
本発明は、上記事情に鑑みてなされたものであり、放し飼い展示を行う展示空間への販売用ペットの開放、及び放し飼い展示を行っている展示空間からの個別展示空間への販売用ペットの収容が容易なペット展示販売ブースを提供することを目的とする。
【課題を解決するための手段】
【０００７】
本発明は、
（１）販売用ペットＰが自力で乗り越えることが不可能な高さを有するとともに顧客Ｃ側に位置する少なくとも一つの面が透明な領域を備えた壁部３と、複数の販売用ペットＰが十分に歩きまわることが可能な面積を有する床部１と、により形成された大展示空間Ｓａを有するペット展示販売ブースにおいて、
前記大展示空間Ｓａ内に、
販売用ペットＰが自力で乗り越えることが不可能な高さを有するとともに前記ペット展示販売ブースに着脱可能な仕切板１１と前記壁部３とにより形成される小展示空間Ｓｂを形成可能としたことを特徴とするペット展示販売ブース５０を提供することにより、上記課題を解決する。
（２）販売用ペットＰが自力で乗り越えることが不可能な高さを有するとともに顧客側に位置する少なくとも一つの面が透明な領域を備えた壁部３と、複数の販売用ペットが十分に歩きまわることが可能な面積を有する床部と、により形成された大展示空間Ｓａを有するペット展示販売ブースにおいて、
前記床部は、顧客Ｃ側に位置する第１床部１ａと、第１床部１ａよりも高い位置に形成された第２床部１ｂと、からなり、
第１床部１ａ上に小展示空間Ｓｂを形成するとともに、
第２床部１ｂ上に放飼い展示空間Ｓｃを形成することを特徴とするペット展示販売ブース５０ａを提供することにより、上記課題を解決する。
（３）顧客Ｃ側に位置するとともに透明な領域を備えた展示壁部１３と、
少なくとも当該展示壁部１３側の面が透明でかつ移動可能な個別展示ケース２０と、を有し、
複数の前記個別展示ケース２０を前記展示壁部１３に近接配置することで形成される個別展示ブース５２を大展示空間Ｓａの外に備えたことを特徴とする上記の（１）または（２）記載のペット展示販売ブース６０を提供することにより、上記課題を解決する。
（４）販売用ペットＰが自力で乗り越えることが不可能な高さを有するとともに顧客Ｃ側に位置する少なくとも一つの面が透明な領域を備えた壁部３と、複数の販売用ペットＰが十分に歩きまわることが可能な面積を有する床部１と、により形成された大展示空間Ｓａと、
顧客Ｃ側に位置するとともに透明な領域を備えた展示壁部１３を有する個別展示ブース５２と、を備えたペット展示販売ブースにおいて、
前記個別展示ブース５２は、少なくとも前記展示壁部１３側の面が透明でかつ移動可能な複数の個別展示ケース２０が前記展示壁部１３に近接配置することで形成され、
さらに、前記個別展示ケース２０を前記大展示空間Ｓａ内に収容することで小展示空間Ｓｂを形成することを特徴とするペット展示販売ブース６０ａを提供することにより、上記課題を解決する。
（５）大展示空間Ｓａに、
透明かつ販売用ペットＰが自力で乗り越えることが不可能な高さを備えた壁部を有するとともに上方が開口した展示空間を、大展示空間Ｓａを構成する床部１よりも高い位置に備えたことを特徴とする上記の（１）乃至（４）のいずれかに記載のペット展示販売ブースを提供することにより、上記課題を解決する。
（６）ペット用ホテル施設、ペット用トリミング施設、セルフウォシュ施設のうち１つ以上を備えたことを特徴とする上記の（１）乃至（５）のいずれかに記載のペット展示販売ブースを提供することにより、上記課題を解決する。
（７）上記の（３）又は（４）に記載のペット展示販売ブース６０、６０ａには、
透明かつ販売用ペットＰが自力で乗り越えることが不可能な高さを備え更に少なくとも一つの面が着脱可能なペット出入口２２となる壁部を有する第１の個別展示ケース２０と、
床面積が第１の個別展示ケース２０と同等もしくはそれよりも小さく、透明かつ販売用ペットＰが自力で乗り越えることが不可能な高さを備え更に少なくとも一つの面が着脱可能なペット出入口２２となる壁部を有する第２の個別展示ケース２０ａと、
第１の個別展示ケース２０を載置可能な可動台座３１と
当該可動台座３１の上方に位置し第２の個別展示ケース２０ａを載置可能な上棚３５と、
当該上棚３５を支持する支持体３３と、
を有することを特徴とするペット展示用ディスプレイ３０ａ、３０ｂが好適である。
【発明の効果】
【０００８】
本発明に係るペット展示販売ブースは、上記の構成により、
大展示空間内に販売用ペットを個別に収容する小展示空間を形成可能とすることで、放し飼い展示を行う大展示空間もしくは放飼い展示空間への販売用ペットの開放、及び大展示空間もしくは放飼い展示空間からの小展示空間への販売用ペットの収容が短時間かつ容易に行うことができる。これにより、効率の良い販売用ペットの展示販売を行うことができる。
【発明を実施するための最良の形態】
【０００９】
本発明に係るペット展示販売ブース及びペット展示用ディスプレイの実施の形態について図面に基づいて説明する。図１は、本発明に係るペット展示販売ブースの第１の形態を示す模式的な斜視図である。図２は、本発明に係るペット展示販売ブースの第２の形態を示す模式的な斜視図である。図３は、本発明に係るペット展示販売ブースの第３の形態を示す模式的な平面図である。図４は、本発明に係るペット展示販売ブースの第４の形態を示す模式的な平面図である。図５は、本発明に係るペット展示用ディスプレイの例を示す斜視図である。
【００１０】
図１に示す本発明に係る第１の形態のペット展示販売ブース５０は、販売用ペットＰが自力で乗り越えることが不可能な高さを有するとともに顧客Ｃ側に位置する少なくとも一つの面が透明な領域（図１においては壁部３ａ、３ｂの全面）を備えた壁部３（３ａ、３ｂ、３ｃ、３ｄ）と、複数の販売用ペットＰが十分に歩きまわることが可能な面積を有する床部１と、により形成された大展示空間Ｓａを有している。また、展示販売ブース５０の大展示空間Ｓａ内には、床部１の所定の位置に設けられた仕切板支持体７と、販売用ペットＰが自力で乗り越えることが不可能な高さを有するとともに仕切板支持体７に着脱可能な仕切板１１と、を有している。そして、仕切板１１を所定の仕切板支持体７に取り付けることで、仕切板１１と壁部３の一部とにより区画される領域が大展示空間Ｓａ内における小展示空間Ｓｂを形成する。また、壁部３には店員等がペット展示販売ブース５０内に出入りすることが可能な出入口５が設けられる。
【００１１】
尚、ペット販売展示ブース５０には、天井部９を設け、壁部３を床部１から天井部９まで形成して大展示空間Ｓａを略密閉した空間とし、動物臭等が顧客Ｃ側に拡散することを防止するとともに、大展示空間Ｓａ内の温度管理等を容易にすることが好ましい。この場合、壁部３における床部１の上面から天井部９の下面までの高さは一般的な人間の身長以上とし、店員等がペット販売展示ブース５０内を立って移動可能とすることが好ましい。また、ペット販売展示ブース５０の床部１は、顧客Ｃのいるフロア面から所定の高さだけ底上げし、顧客Ｃが立ったままペット販売展示ブース５０内を見渡せるようにすることが好ましい。
【００１２】
壁部３には、少なくとも顧客Ｃ側に位置する１つ以上の壁部３に、透明なガラスやアクリル等の合成樹脂で形成された透明な領域を設け、顧客Ｃがこの透明領域を通して大展示空間Ｓａを目視可能とする。この壁部３における透明領域は大きい方が好ましく、図１に示すように、顧客Ｃ側に位置する壁部３ａ、３ｂの全面を透明とするなどして顧客Ｃが様々な角度から大展示空間Ｓａを目視可能とすることが特に好ましい。また、ペット販売展示ブース５０が店舗の外壁に接する場合には、ここに位置する壁部３もしくはその一部を透明とし店舗外からペット販売展示ブース５０内を目視可能としても良い。また、壁部３は全て透明としても構わないが、壁部３の裏面側が店員等の作業する管理スペースである場合には、そこに位置する壁部３にマジックミラー等の部材を用い、管理スペース側からはペット販売展示ブース５０内を目視可能としながら顧客Ｃ側からは管理スペースを目視不可能とすることもできる。
【００１３】
仕切板支持体７は、ペット販売展示ブース５０の床部１もしくは壁部３の所定の位置に設置され、仕切板支持体７に仕切板１１を大展示空間Ｓａの一画を区切るように取り付けることで、大展示空間Ｓａ内に小展示空間Ｓｂを形成可能とする。また、仕切板支持体７を着脱可能とし、小展示空間Ｓｂを形成しない際に不要な仕切板支持体７を取り外すようにすれば、大展示空間Ｓａの障害物を減らすことができるとともにペット販売展示ブース５０内の美観を損ねることもない。尚、仕切板１１は、顧客Ｃの視野を遮らないよう透明なガラスやアクリル等の合成樹脂で形成することが好ましい。
【００１４】
仕切板１１と仕切板支持体７、及び壁部３とで区画形成される小展示空間Ｓｂは、ペット販売展示ブース５０内の顧客Ｃ側、奥側、及び側面等、任意の位置に形成することが可能である。尚、本例においては、小展示空間Ｓｂを顧客Ｃ側に最大４つ形成可能とした例を用いているが、小展示空間Ｓｂはペット販売展示ブース５０内に任意の数だけ形成することが可能である。
【００１５】
ペット販売展示ブース５０にて展示される販売用ペットＰは、小展示空間Ｓｂ内で個別もしくは数匹で飼育管理しても良いし、管理スペースや後述する個別展示ブース５２等で飼育管理して、ペット販売展示ブース５０にて展示する際に移動させるようにしても良い。そして、小展示空間Ｓｂ内に個別もしくは数匹で収容された販売用ペットＰは、所定の仕切板１１を取り外すことにより適宜大展示空間Ｓａに開放され放し飼い展示される。また、大展示空間Ｓａに対する注意が十分に得られない場合や、大展示空間Ｓａにおける販売用ペットＰの放し飼い展示を止める場合には、店員が大展示空間Ｓａ内の販売用ペットＰを小展示空間Ｓｂ形成領域に誘導した上で仕切板１１を設置して小展示空間Ｓｂを形成し、販売用ペットＰを小展示空間Ｓｂ内に収容する。また再度、販売用ペットＰを大展示空間Ｓａで放し飼い展示する場合には、同様にして再度仕切板１１を取り外すことで小展示空間Ｓｂ内に収容された販売用ペットＰを大展示空間Ｓａに開放する。
【００１６】
このようにペット販売展示ブース５０は、放し飼い展示を行う大展示空間Ｓａへの販売用ペットＰの開放、及び大展示空間Ｓａからの個別乃至は数匹で展示を行う小展示空間Ｓｂへの販売用ペットＰの収容が短時間かつ容易に行うことが可能であり、この大展示空間Ｓａと小展示空間Ｓｂとを適宜使い分けることで、小人数でも大展示空間Ｓａにおける販売用ペットＰの放し飼い展示を行うことができる。また、ペット販売展示ブース５０は、小展示空間Ｓｂによる展示形態と、大展示空間Ｓａによる放し飼い展示形態とを、適宜切替もしくは併用することで応用性に富んだ販売用ペットＰの展示を行うことができる。更に、小展示空間Ｓｂは上方が開口しているために圧迫感が少なく、小展示空間Ｓｂに収容される販売用ペットＰのストレスの軽減を図ることができる。
【００１７】
尚、放し飼い展示は幼犬のみで行うことが好ましいが、幼猫のみもしくは犬猫を混合して行っても良い。また、販売用ペットＰの数が多い場合には、順番制や入替え制としても良い。尚、大展示空間Ｓａ内に店舗にて販売しているペット用玩具１７を入れておけば、販売用ペットＰによるペット用玩具１７に対する実演効果が得られ、顧客Ｃに対してペット用玩具１７への購買意欲を喚起することもできる。
【００１８】
次に、本発明に係る第２の形態のペット展示販売ブース５０ａを図２に示す。ペット展示販売ブース５０ａは、大展示空間Ｓａを構成する床部を、顧客Ｃ側に位置する第１床部１ａと、第１床部１ａよりも高い位置に形成された第２床部１ｂとにより階段状に形成する。そして、第１床部１ａ上に販売用ペットＰを個別乃至は数匹収容して展示する小展示空間Ｓｂを形成し、第２床部１ｂ上に複数の販売用ペットＰを放し飼い展示する放飼い展示空間Ｓｃを形成する。尚、第１床部１ａと第２床部１ｂとの境界には、透明かつ販売用ペットＰが自力で乗り越えることが不可能な高さを有する境界壁１８を形成し、販売用ペットＰが第１床部１ａの小展示空間Ｓｂと第２床部１ｂの放飼い展示空間Ｓｃとを自力で移動できないようにする。
【００１９】
第１床部１ａにおける小展示空間Ｓｂの形成は、図２に示すように、仕切板支持体７と仕切板支持体７に着脱可能な仕切板１１とにより行っても良いし、第１床部１ａを所定の床面積に区切る固定された仕切板によって行っても良い。尚、上記以外のペット販売展示ブース５０ａの構成及び機能等は、基本的にペット販売展示ブース５０と同等である。
【００２０】
上記のペット販売展示ブース５０ａは、大展示空間Ｓａ内に小展示空間Ｓｂと放飼い展示空間Ｓｃとが形成されているため、小展示空間Ｓｂと放飼い展示空間Ｓｃとの間の販売用ペットＰの移動が短時間かつ容易に行うことが可能であり、ペット販売展示ブース５０と同様に小人数でも販売用ペットＰの放し飼い展示を行うことができる。
【００２１】
更に、ペット販売展示ブース５０ａでは、境界壁１８を大展示空間Ｓａを構成する壁部とみなし、第１床部１ａに仕切板１１を着脱することで第１床部１ａで構成される領域に小展示空間Ｓｂを適宜形成可能とすることでペット販売展示ブース５０と同等な機能を持たせるとともに、第２床部１ｂに着脱可能な仕切板１１や後述する個別展示ケース２０を載置することにより小展示空間Ｓｂを形成可能としてペット販売展示ブース５０もしくは後述するペット販売展示ブース５０ｂと同等な機能を持たせ、あたかも２つのペット販売展示ブース５０（５０ｂ）が併設されたような構成とすることも可能である。
【００２２】
また、本発明に係るペット展示販売ブースは、図３に示すように、ペット販売展示ブース５０、５０ａの大展示空間Ｓａ外に個別展示ブース５２を備えたペット展示販売ブース６０としても良い。尚、図３においては、ペット販売展示ブース５０を用いたペット展示販売ブース６０の例を示している。
【００２３】
ペット展示販売ブース６０の個別展示ブース５２は、顧客Ｃ側に位置するとともに透明な領域を備えた展示壁部１３と、少なくとも展示壁部１３側の面が透明でかつ移動可能な個別展示ケース２０とを有し、複数の個別展示ケース２０が展示壁部１３に近接配置されることで形成されている。
【００２４】
個別展示ブース５２を構成する個別展示ケース２０は、販売用ペットＰが自力で脱出することができないケージもしくはサークル等であり、販売用ペットＰを個別乃至は数匹収容して展示する。また、個別展示ケース２０にはペット出入口２２が設けられ、このペット出入口２２を通して販売用ペットＰの出し入れを行う。更に、個別展示ケース２０は個別展示ブース５２に固定されるものではなく、販売用ペットＰの個体数や展示レイアウトの変更などにより適宜移動して配置することが可能である。
【００２５】
そして、個別展示ブース５２の個別展示ケース２０内に収容された販売用ペットＰは、展示壁部１３を介して顧客Ｃに展示され販売される。尚、個別展示ケース２０は後述するペット展示用ディスプレイ３０ａ、３０ｂなどを用いて、上方向に２段もしくは３段積み上げることが好ましい。
【００２６】
また、本発明に係るペット展示販売ブースは、図４に示すように、個別展示ブース５２とペット販売展示ブース５０ｂとを有するペット展示販売ブース６０ａとしても良い。
【００２７】
ペット展示販売ブース６０ａのペット販売展示ブース５０ｂは、前述のペット販売展示ブース５０と同様の壁部３（３ａ、３ｂ、３ｃ、３ｄ）と床部１とにより形成される大展示空間Ｓａを有している。そして、大展示空間Ｓａに個別展示ブース５２の個別展示ケース２０を載置することで、この個別展示ケース２０がペット販売展示ブース５０ｂにおける小展示空間Ｓｂを形成する。
【００２８】
即ち、ペット展示販売ブース６０ａでの、販売用ペットＰのペット販売展示ブース５０ｂへの搬入は、個別展示ブース５２内の個別展示ケース２０を販売用ペットＰごとペット販売展示ブース５０ｂ内の床部１に載置することで行う。そして、個別展示ケース２０に設けられたペット出入口２２を開放することで、個別展示ケース２０内の販売用ペットＰを大展示空間Ｓａに移動させ、大展示空間Ｓａにおける放し飼い展示を行う。また、放し飼い展示を止める場合には、店員が大展示空間Ｓａの販売用ペットＰを小展示空間Ｓｂとしての個別展示ケース２０内に誘導した上でペット出入口２２を閉じ、小展示空間Ｓｂによる個別もしくは数匹単位での展示に切り替える。
【００２９】
これにより、ペット展示販売ブース６０ａはペット展示販売ブース５０同様、大展示空間Ｓａへの販売用ペットＰの開放、及び大展示空間Ｓａからの小展示空間Ｓｂへの販売用ペットＰの収容を短時間かつ容易に行うことができる。またこのことに加え、ペット展示販売ブース６０ａは販売用ペットＰを個別展示ケース２０ごとペット販売展示ブース５０ｂに搬入することが可能なため、販売用ペットＰの搬入搬出が更に容易となる。従って、例えば個別展示ブース５２に展示されている販売用ペットＰを順番もしくは入替え制で放し飼い展示する場合や、顧客Ｃの要望により個別展示ブース５２に展示されている特定の販売用ペットＰを大展示空間Ｓａへ移動させる場合などにおいて、効率良く販売用ペットＰの移動、交換を図ることができる。尚、個別展示ケース２０の搬入搬出は出入口５を介して行っても良いが、作業性向上のためペット展示販売ブース５０ｂの壁部３に個別展示ケース２０用の搬入口を別に設けても良い。
【００３０】
尚、ペット展示販売ブース６０ａで用いる個別展示ケース２０としては、販売用ペットＰの大展示空間Ｓａからの収容が容易なように、床面の高さが必要以上に高くなく、かつ上面が開放したサークル状のもので、更にペット出入口２２が大きなものが好ましい。特に、個別展示ケース２０を構成する壁部の一つの面を着脱可能として、これを販売用ペットＰのペット出入口２２とすることが好ましい。また、ペット展示販売ブース６０ａで用いる個別展示ケース２０は、ペット販売展示ブース５０ｂにおける小展示空間Ｓｂの機能をも兼ねることから、その壁部は透明なものを用いることが好ましい。
【００３１】
上記のペット展示販売ブース５０、５０ａ、５０ｂの大展示空間Ｓａには、透明かつ販売用ペットＰが自力で乗り越えることが不可能な高さを備えた壁部によって囲われ、さらに上方が開口した展示ケースによって形成される展示空間を、大展示空間Ｓａを構成する床部１もしくは第２床部１ｂよりも高い位置に設けても良い。尚、この展示ケースとしては、前記の条件を備えた個別展示ケース２０を流用することが好ましい。上記の展示空間の設置は、大展示空間Ｓａの床部１もしくは第２床部１ｂに所定の長さの脚部を有する台座等を固定もしくは載置して、この台座上に個別展示ケース２０等の展示ケースを固定もしくは載置して行うことが好ましい。このとき、脚部の長さを販売用ペットＰの全高よりも大きな寸法とし、また展示空間と床部１もしくは展示空間と第２床部１ｂとの間を中空とすることで、販売用ペットＰが展示空間と床部１もしくは展示空間と第２床部１ｂとの間の空間を移動可能とし、放し飼い展示時における大展示空間Ｓａもしくは放飼い展示空間Ｓｃの床面積を減少させないようにすることが望ましい。
【００３２】
また、ペット展示販売ブース５０、５０ｂにおいては、上記の展示空間を小展示空間Ｓｂの上端よりも高い位置に設置して、展示空間と床部１との間の空間に小展示空間Ｓｂを形成可能とすることが好ましい。またこのとき、展示空間の設置位置を最適化して、展示空間の底部と小展示空間Ｓｂの上端との間に空間を設け、小展示空間Ｓｂに収容する販売用ペットＰへの上方からの圧迫感を軽減することが特に好ましい。この展示空間の設置により、大展示空間Ｓａにおける上部スペースを販売用ペットＰの展示に利用することが可能となり、大展示空間Ｓａのさらなる有効活用を図ることができる。尚、ペット展示販売ブース５０、５０ｂにおいては、展示空間は壁部３の透明領域に近接して配置することが好ましいが、展示空間の設置により大展示空間Ｓａに対する顧客Ｃの視野を遮ぎるような場合には、展示空間をペット展示販売ブース５０、５０ａの奥側や中央部分に設置するようにしても良い。
【００３３】
更に、本発明に係るペット展示販売ブース５０、５０ａ、６０、６０ａには、ペット用ホテル、トリミングブース、及びセルフウォシュ等の付帯施設を設けても良い。尚、ペット用ホテルとは、顧客の飼育しているペットを一時的に預かって飼育するものである。また、トリミングブースとは、顧客の飼育しているペットの毛を顧客の要望にあわせてカットして整えたり、トリミングブースに設けられたペット用入浴設備にペットを入浴させペットの汚れを除去するものである。また、セルフウォシュとは前述のペット用入浴設備と同様なものであり、所定の料金を払って顧客自身がペットの入浴及び洗浄を行うものである。
【００３４】
次に、ペット展示販売ブース６０、６０ａの個別展示ブース５２に好適なペット展示用ディスプレイの例を図５に示す。ペット展示用ディスプレイ３０ａは、個別展示ケース２０（第１の個別展示ケース）と、床面積が個別展示ケース２０と同等もしくはそれよりも小さい個別展示ケース２０ａ（第２の個別展示ケース）と、個別展示ケース２０を着脱可能な状態で載置することができる可動台座３１と、可動台座３１の上方に位置し個別展示ケース２０ａを着脱可能な状態で載置することができる上棚３５と、個別展示ケース２０の床部２１上に載置される上棚土台３７と、上棚３５と上棚土台３７とを固定して上棚３５を支持する支持体３３と、を有している。
【００３５】
また、ペット展示用ディスプレイ３０ｂは、個別展示ケース２０と、床面積が個別展示ケース２０と同等もしくはそれよりも小さい個別展示ケース２０ａと、個別展示ケース２０を着脱可能な状態で載置することができる可動台座３１と、可動台座３１の上方に位置し個別展示ケース２０ａを着脱可能な状態で載置することができる上棚３５と、上棚３５と可動台座３１とを固定して上棚３５を支持する支持体３３と、を有している。
【００３６】
個別展示ケース２０、２０ａは、床部２１と少なくとも販売用ペットＰが自力で乗り越えることが不可能な高さの壁部２３と、同じく少なくとも販売用ペットＰが自力で乗り越えることが不可能な高さで着脱が可能なペット出入口２２とで構成され、上方が開口した箱形状を呈している。また、個別展示ケース２０、２０ａの壁部２３、及びペット出入口２２は、透明なガラスやアクリル等の合成樹脂で構成され、個別展示ケース２０、２０ａ内に収容された販売用ペットＰが壁部２３、及びペット出入口２２を介して目視可能である。
【００３７】
ペット展示用ディスプレイ３０ａ、３０ｂの可動台座３１の下部にはキャスタ３９を設置することが好ましく、これによりペット展示用ディスプレイ３０ａ、３０ｂの移動が容易となる。また、可動台座３１は所定の厚さを有しており、顧客Ｃは楽に個別展示ケース２０、２０ａに収容された販売用ペットＰを展示壁部１３を介して観察することができる。尚、可動台座３１の厚さは、ペット展示販売ブース５０、５０ａの床部１上面と可動台座３１の上面とが略同等となるようにすることが好ましい。また、支持体３３の長さは個別展示ケース２０の壁部２３よりも所定の寸法だけ長く形成し、可動台座３１に載置された個別展示ケース２０の上部と上棚３５との間に空間を設け、個別展示ケース２０に収容する販売用ペットＰへの圧迫感を軽減することが好ましい。
【００３８】
尚、ペット展示用ディスプレイ３０ａ、３０ｂをペット展示販売ブース６０ａで用いる場合には、個別展示ケース２０、２０ａを可動台座３１もしくは上棚３５から取り外し、収容した販売用ペットＰごとペット展示販売ブース５０ｂ内に搬入載置することで、この個別展示ケース２０、２０ａがペット展示販売ブース５０ｂ内における小展示空間Ｓｂを形成する。
【００３９】
以上のことから、本発明に係るペット展示販売ブースによれば、大展示空間Ｓａ内に販売用ペットＰを個別もしくは数匹単位で収容する小展示空間Ｓｂを形成可能とすることで、放し飼い展示を行う大展示空間Ｓａもしくは放飼い展示空間Ｓｃへの販売用ペットＰの開放、及び大展示空間Ｓａもしくは放飼い展示空間Ｓｃからの小展示空間Ｓｂへの販売用ペットＰの収容を短時間かつ容易に行うことができる。よって、小人数でも大展示空間Ｓａにおける販売用ペットＰの放し飼い展示を行うことができる。特に、ペット展示販売ブース５０、６０ａ及び、ペット展示販売ブース５０を有するペット展示販売ブース６０においては、小展示空間Ｓｂによる展示形態と、大展示空間Ｓａによる放し飼い展示形態とを、適宜切替もしくは併用することで応用性に富んだ販売用ペットＰの展示を行うことができる。
【００４０】
また、本発明に係るペット展示販売ブースでは、大展示空間Ｓａもしくは放飼い展示空間Ｓｃで放し飼い展示されている販売用ペットＰを、頻繁に別室の個別展示ブース５２や飼育用ケージに移動させる必要が無いため、販売用ペットＰへのストレス軽減を図ることができる。
【００４１】
更に、本発明に係るペット展示用ディスプレイ３０ａ、３０ｂは、移動が可能でかつ個別展示ケース２０、２０ａを２段積載して展示可能なため、ペット展示販売ブース６０、６０ａの個別展示ブース５２において、販売用ペットＰの個体数や展示レイアウトに応じた展示を行うことができる。
【００４２】
尚、本例においては、ペット展示販売ブース５０、５０ａ、５０ｂの形状を直方体としたが、特にこれに限定されるわけではなく、円柱形状やコの字形状、ロの字形状、等任意の形状とすることができる他、本発明は本発明の要旨を逸脱しない範囲で変更して実施することが可能である。
【図面の簡単な説明】
【００４３】
【図１】本発明に係るペット展示販売ブースの第１の形態を示す模式的な斜視図である。
【図２】本発明に係るペット展示販売ブースの第２の形態を示す模式的な斜視図である。
【図３】本発明に係るペット展示販売ブースの第３の形態を示す模式的な平面図である。
【図４】本発明に係るペット展示販売ブースの第４の形態を示す模式的な平面図である。
【図５】本発明に係るペット展示用ディスプレイの例を示す斜視図である。
【符号の説明】
【００４４】
１      床部
１ａ    第１床部
１ｂ    第２床部
３、３ａ〜３ｄ  壁部
７      仕切板支持体
１１    仕切板
１３    展示壁部
２０    個別展示ケース（第１の個別展示ケース）
２０ａ  個別展示ケース（第２の個別展示ケース）
２２    ペット出入口
３０ａ、３０ｂ  ペット展示用ディスプレイ
３１    可動台座
３３    支持体
３５    上棚
５０、５０ａ、５０ｂ、６０、６０ａ    ペット展示販売ブース
５２    個別展示ブース
Ｓａ    大展示空間
Ｓｂ    小展示空間
Ｓｃ    放飼い展示空間
Ｐ      販売用ペット
Ｃ      顧客
【図１】
2009082078.tif 000003
【図２】
2009082078.tif 000004
【図３】
2009082078.tif 000005
【図４】
2009082078.tif 000006
【図５】
2009082078.tif 000007